(57)【要約】【課題】根太レスで鋼製大引等の金属製大引を採用するものでありながら床の断熱性能を高いものにすることができ、しかも、金属製大引へのビス打ちの際の床板や大引断熱材の浮き上がりをなくせると共に、施工後の床面の沈込みや床鳴りをなくせる床断熱構造等を提供する。【解決手段】金属製大引１を挟む両側に床断熱材２，２が設けられると共に、大引１の上に大引断熱材３を介して床板４が根太レスで設置され、該床板４が室内側からビス５により大引断熱材３を通じて大引１に固定されている。ビス５は、その軸部に、大引１と螺合する先端側の第１ネジ部５ａと、床板４と螺合する基端側の第２ネジ部５ｂとを備え、第１ネジ部５ａと第２ネジ部５ｂとの間が無ネジ部５ｃからなっている。【選択図】      図１
2007291611.tif 000002
【特許請求の範囲】
【請求項１】
金属製大引を挟む一方の側又は両方の側に床断熱材が設けられると共に、前記大引の上に大引断熱材を介して床板が根太レスで設置され、該床板が室内側からビスにより大引断熱材を通じて大引に固定されており、
前記ビスは、その軸部に、大引と螺合する先端側の第１ネジ部と、床板と螺合する基端側の第２ネジ部とを備え、第１ネジ部と第２ネジ部との間が無ネジ部からなっていることを特徴とする床断熱構造。
【請求項２】
前記ビスには、無ネジ部の第１ネジ部側に位置してローレット部が設けられている請求項１に記載の床断熱構造。
【請求項３】
第１部材と第２部材との間に第３部材が設けられ、第１部材がビスにより第３部材を通じて第２部材に固定されており、
前記ビスは、第１部材と螺合する先端側の第１ネジ部と、第２部材と螺合する基端側の第２ネジ部とを備え、第１ネジ部と第２ネジ部との間が無ネジ部からなっていることを特徴とするビスを用いた部材の固定構造。
【請求項４】
第１部材と第２部材との間に第３部材が設けられ、第１部材を第３部材を通じて第２部材に固定するビスであって、
第１部材と螺合する先端側の第１ネジ部と、第２部材と螺合する基端側の第２ネジ部とを備え、第１ネジ部と第２ネジ部との間が無ネジ部からなっていることを特徴とするビス。
【発明の詳細な説明】
【技術分野】
【０００１】
本発明は、床断熱構造、ビスを用いた部材の固定構造及びビスに関する。
【背景技術】
【０００２】
例えば、大引の上に根太レスで床板を設置し、大引を挟む両側に床断熱材を設ける床断熱構造は知られている。
【特許文献１】特開２００３−３２１９２９号公報
【発明の開示】
【発明が解決しようとする課題】
【０００３】
しかしながら、上記のような根太レスの床断熱構造では、大引が鋼製大引等の金属製大引である場合、大引が熱橋となって、床に求められる断熱性能が確保されないという問題を生じる。
【０００４】
そこで、大引による熱橋を軽減する、ないしは、なくすため、大引と床板との間に大引断熱材を介設することが考えられる。
【０００５】
ところで、大引と床板との間に大引断熱材を介設する場合、床板を大引に固定するために室内側からビスを打ち込む必要があるが、ビスが軸部の全体にネジ部を備えたものであると、ビスの先端部が大引に当接してから大引内へのもみ込みが開始されるまでの間に、ネジ部によるネジ送り作用で床板と大引断熱材とが大引から浮き上がってしまうという問題を生じる。
【０００６】
そこで、先端側にのみネジ部を備えたビスを用いて大引への固定を行うことが考えられるが、それでは、固定後、床面にかかる荷重が大引断熱材に伝えられてしまい、大引断熱材の変形によって沈込みや床鳴りを生じさせてしまうという問題がある。
【０００７】
本発明は、上記のような問題点に鑑み、根太レスで金属製大引を採用するものでありながら床の断熱性能を高いものにすることができ、しかも、金属製大引へのビス打ちの際の床板や大引断熱材の浮き上がりをなくすないしは軽減することができると共に、施工後の床面の沈込みや床鳴りをなくすことができる構造の床断熱構造等を提供することを課題とする。
【課題を解決するための手段】
【０００８】
上記の課題は、金属製大引を挟む一方の側又は両方の側に床断熱材が設けられると共に、前記大引の上に大引断熱材を介して床板が根太レスで設置され、該床板が室内側からビスにより大引断熱材を通じて大引に固定されており、
前記ビスは、その軸部に、大引と螺合する先端側の第１ネジ部と、床板と螺合する基端側の第２ネジ部とを備え、第１ネジ部と第２ネジ部との間が無ネジ部からなっていることを特徴とする床断熱構造によって解決される。
【０００９】
この床断熱構造では、金属製大引を挟む一方の側又は両方の側に床断熱材が設けられると共に、前記大引の上に大引断熱材を介して床板が根太レスで設置されているので、根太レスで金属製大引を採用するものでありながら、床の断熱性能を高いものにすることができる。
【００１０】
しかも、ビスは、その軸部に、大引と螺合する先端側の第１ネジ部と、床板と螺合する基端側の第２ネジ部とを備え、第１ネジ部と第２ネジ部との間が無ネジ部からなっているので、金属製大引へのビス打ちにおいて、ビスの先端部が大引に当接してから大引内へのもみ込みが開始されるまでの間は、無ネジ部が大引断熱材と床板の厚さ方向の全体又は一部に存在し、それにより、大引からの床板と大引断熱材との浮き上りをなくす、ないしは、軽減することができる。
【００１１】
加えて、ビス打ち後は、第１ネジ部が大引と螺合し、第２ネジ部が床板と螺合した状態になっているので、床面にかかる荷重によって、床板が沈み込んだり、床鳴りを生じたりするのを防止することができる。
【００１２】
上記の床断熱構造において、ビスには、無ネジ部の第１ネジ部側に位置してローレット部が設けられているとよい。この場合は、第１ネジ部で形成される明けられたネジ孔のネジ山がローレット部で削られることにより、金属製大引へのビス打ちにおいて、大引からの床板と大引断熱材との浮き上りをより一層効果的になくす、ないしは、軽減することができる。
【００１３】
また、本発明は、第１部材と第２部材との間に第３部材が設けられ、第１部材がビスにより第３部材を通じて第２部材に固定されており、
前記ビスは、第１部材と螺合する先端側の第１ネジ部と、第２部材と螺合する基端側の第２ネジ部とを備え、第１ネジ部と第２ネジ部との間が無ネジ部からなっていることを特徴とするビスを用いた部材の固定構造を含む。
【００１４】
また、本発明は、第１部材と第２部材との間に第３部材が設けられ、第１部材を第３部材を通じて第２部材に固定するビスであって、
第１部材と螺合する先端側の第１ネジ部と、第２部材と螺合する基端側の第２ネジ部とを備え、第１ネジ部と第２ネジ部との間が無ネジ部からなっていることを特徴とするビスも含む。
【００１５】
これら固定構造やビスでは、ビスが、第１部材と螺合する先端側の第１ネジ部と、第２部材と螺合する基端側の第２ネジ部とを備え、第１ネジ部と第２ネジ部との間が無ネジ部からなっているので、ビスの先端部が第２部材に当接してから第２部材内へのもみ込みが開始されるまでの間は、無ネジ部が第１部材と第３部材の厚さ方向の全部又は一部に存在し、第２部材からの第１，第３部材の浮き上りをなくす、ないしは、軽減することができ、しかも、ビス打ち後は、第１部材と第２部材の相互接近方向にかかる荷重が第３部材に伝えられるのを防ぐことができる。
【発明の効果】
【００１６】
本発明の床断熱構造は、以上のとおりのものであるから、根太レスで金属製大引を採用するものでありながら床の断熱性能を高いものにすることができ、しかも、金属製大引へのビス打ちの際の床板や大引断熱材の浮き上がりをなくすないしは軽減することができると共に、施工後の床面の沈込みや床鳴りをなくすことができる。
【００１７】
また、本発明の、ビスを用いた部材の固定構造及びビスでは、ビスの先端部が第２部材に当接してから第２部材内へのもみ込みが開始されるまでの間の、第２部材からの第１，第３部材の浮き上りをなくす、ないしは、軽減することができ、しかも、ビス打ち後は、第１部材と第２部材の相互接近方向にかかる荷重が第３部材に伝えられるのを防ぐことができる。
【発明を実施するための最良の形態】
【００１８】
次に、本発明の実施最良形態を図面に基づいて説明する。
【００１９】
図１（イ）に示す実施形態の床断熱構造は、第２部材、金属製大引としての鋼製大引１を挟む両側にグラスウール等からなる床断熱材２，２が設けられると共に、鋼製大引１の上に第３部材としてのポリスチレンフォーム等の発泡樹脂からなる大引断熱材３を介して第１部材としての合板等からなる床板４が根太レスで設置され、床板４が室内側からビス５により大引断熱材を通じて鋼製大引１に固定された構造をしている。なお、６は束である。
【００２０】
この床断熱構造では、鋼製大引１を挟む両側に床断熱材２が設けられると共に、鋼製大引１の上に大引断熱材３を介して床板４が根太レスで設置されているので、根太レスで鋼製大引１を採用するものでありながら、床の断熱性能を高いものにすることができる。
【００２１】
そして、ビス５は、図１（ロ）（ハ）に示すように、その軸部に、鋼製大引１と螺合する先端側の第１ネジ部５ａと、床板４と螺合する基端側の第２ネジ部５ｂとを備え、第１ネジ部５ａと第２ネジ部５ｂとの間が無ネジ部５ｃからなっており、更に、無ネジ部５ｃの第１ネジ部５ａ側に位置してローレット部５ｄが設けられている。なお、第１，第２ネジ部５ａ，５ｂのネジ山頂部における外径は例えば５ｍｍ、ネジの谷部における外径は例えば３．３ｍｍ、ローレット部５ｄの外径は例えば４．１ｍｍであり、ローレット部５ｄを除く無ネジ部５ｃの外径は、ネジの谷部における外径よりも大きく、ローレット部５ｄの外径よりも小さく設定されている。
【００２２】
ビス５は、図２（イ）〜（ニ）に示すような過程を経て打ち込まれていくが、図２（ニ）に示すように、ビス５の先端部が鋼製大引１に当接してから鋼製大引１内へのもみ込みが開始されるまでの間は、回転しているにもかかわらず進出が進まないが、その状態では、無ネジ部５ｃが床板４の厚さ方向の全体に存在しているため、ネジ送り作用が起こらず、鋼製大引１からの床板４と大引断熱材３との浮き上りを阻止ないしは抑制することができる。
【００２３】
特に、本実施形態では、ビス５にローレット部５ｄが備えられているので、第１ネジ部５ａで形成されるネジ孔のネジ山がローレット部５ｄで削られることにより、鋼製大引１へのビス打ちにおいて、大引１からの床板４と大引断熱材３との浮き上りをより一層効果的に阻止ないしは抑制することができる。
【００２４】
そして、ビス打ち完了後は、図１（ロ）に示すように、第１ネジ部５ａが鋼製大引１と螺合し、第２ネジ部５ｂが床板４と螺合した状態になっているので、床面にかかる荷重が大引断熱材３に伝わらず、そのため、床板４が沈み込んだり、床鳴りを生じたりするのを防止することができる。
【００２５】
以上に、本発明の実施形態を示したが、本発明はこれに限られるものではなく、発明思想を逸脱しない範囲で各種の変更が可能である。例えば、上記の実施形態では、ビスの軸部にローレット部を備えさせた場合を示しているが、ローレット部は省略されてもよい。
【００２６】
また、上記の実施形態では、鋼製大引１の上に大引断熱材３を介して床板４が根太レスで設置されている床断熱構造に適用した場合を示したが、第３，第４発明では、各種第１部材と各種第２部材との間に各種第３部材が設けられ、第１部材をビスにより第３部材を通じて第２部材に固定する場合の部材固定構造、及び、それ用のビスとして広く用いることができるものである。
【図面の簡単な説明】
【００２７】
【図１】図（イ）は実施形態の床断熱構造を示す断面正面図、図（ロ）は同要部拡大断面正面図、図（ハ）はビスの正面図である。
【図２】図（イ）〜図（ニ）はビス打ちの過程を順次に示す断面正面図である。
【符号の説明】
【００２８】
１…鋼製大引（金属製大引、第２部材）
２…床断熱材
３…大引断熱材（第３部材）
４…床板（第１部材）
５…ビス
５ａ…第１ネジ部
５ｂ…第２ネジ部
５ｃ…無ネジ部
５ｄ…ローレット部
【図１】
2007291611.tif 000003
【図２】
2007291611.tif 000004